(57)【要約】  本開示は、チャネル測定方法、端末装置及びネットワーク側装置を提供する。その中で、チャネル測定方法は端末装置ＵＥに適用され、ネットワーク側装置は、測定リソースで送信されるＭ個の測定基準信号を受信し、ここで、Ｍは１より大きい整数であり、測定リソースは、Ｎ個の測定サブリソースを含み、各測定サブリソースは時間ドメインおよび周波数ドメインで連続している。ここで、Ｎ≧１かつＮは整数である。【選択図】  図２
2021536719.tif 000002
【特許請求の範囲】
【請求項１】
端末装置ＵＥに適用されるチャネル測定方法であって、
ネットワーク側装置によって測定リソースで送信されるＭ個の測定基準信号を受信することを含み、ここで、Ｍは１より大きい整数であり、
前記測定リソースは、Ｎ個の測定サブリソースを含み、各前記測定サブリソースは時間ドメインおよび周波数ドメインで連続しており、ここで、Ｎ≧１かつＮは整数であるチャネル測定方法。
【請求項２】
請求項１に記載のチャネル測定方法であって、
各前記測定サブリソースが時間ドメインにおける持続時間は、事前定義されるまたは上位層シグナリングによって設定される、および／または、
各前記測定サブリソースが周波数ドメインにおける帯域幅は、事前定義されるまたは上位層シグナリングによって設定されるチャネル測定方法。
【請求項３】
請求項１または２に記載のチャネル測定方法であって、
各前記測定サブリソースが測定リソースにおける位置は、上位層シグナリングによって設定されるチャネル測定方法。
【請求項４】
請求項１から３のいずれか一項に記載のチャネル測定方法であって、
各前記測定基準信号の前記測定サブリソースおよび／または前記測定リソースにおけるマッピング方式は、上位層シグナリングに設定され、または事前マッピング規則によって決定されるチャネル測定方法。
【請求項５】
請求項１から４のいずれか一項に記載のチャネル測定方法であって、
前記Ｎ個の測定サブリソースは時間ドメインにおける持続時間が第１値より小さく、前記第１値は事前定義されるまたは上位層シグナリングによって設定されるチャネル測定方法。
【請求項６】
請求項１または２に記載のチャネル測定方法であって、
前記Ｍ個の測定基準信号のうちの少なくとも１つは、同期信号ブロックＳＳＢに関連する、および／または、
前記Ｍ個の測定基準信号のうちの少なくとも１つは、チャネル状態情報基準信号ＣＳＩ−ＲＳに関連するチャネル測定方法。
【請求項７】
請求項６に記載のチャネル測定方法であって、
前記測定基準信号に関連するＳＳＢと前記測定基準信号とは、疑似コロケーションＱＣＬ関係を満たす、および／または、
前記測定基準信号に関連するＣＳＩ−ＲＳと前記測定基準信号とは、ＱＣＬ関係を満たすチャネル測定方法。
【請求項８】
請求項１または２に記載のチャネル測定方法であって、
前記Ｍ個の測定基準信号に基づいてチャネルに対して測定計算を行い、チャネル測定結果を取得すること、または、
前記Ｍ個の測定基準信号と第１測定信号に基づいてチャネルに対して測定計算を行い、チャネル測定結果を取得することをさらに含み、ここで、前記第１測定信号は、ＳＳＢのセカンダリ同期信号ＳＳＳ、物理ブロードキャストチャネルＰＢＣＨの復調基準信号ＤＭＲＳ、およびＣＳＩ−ＲＳの少なくとも１つを含むチャネル測定方法。
【請求項９】
ネットワーク側装置に適用されるチャネル測定方法であって、
測定リソースで端末装置ＵＥにＭ個の測定基準信号を送信することを含み、ここで、Ｍは１より大きい整数であり、
前記測定リソースは、Ｎ個の測定サブリソースを含み、各前記測定サブリソースは時間ドメインおよび周波数ドメインで連続しており、ここで、Ｎ≧１かつＮは整数であるチャネル測定方法。
【請求項１０】
請求項９に記載のチャネル測定方法であって、
各前記測定サブリソースが時間ドメインにおける持続時間は、事前定義されるまたは上位層シグナリングによって設定される、および／または、
各前記測定サブリソースが周波数ドメインにおける帯域幅は、事前定義されるまたは上位層シグナリングによって設定されるチャネル測定方法。
【請求項１１】
請求項９または１０に記載のチャネル測定方法方法であって、
各前記測定サブリソースは前記測定リソースにおける位置は、上位層シグナリングによって設定されるチャネル測定方法。
【請求項１２】
請求項９から１１のいずれか一項に記載のチャネル測定方法であって、
前記測定基準信号の前記測定サブリソースおよび／または前記測定リソースにおけるマッピング方式は、上位層シグナリングに設定される、または事前マッピング規則によって決定されるチャネル測定方法。
【請求項１３】
請求項９から１２のいずれか一項に記載のチャネル測定方法であって、
前記Ｎ個の測定サブリソースが時間ドメインにおける持続時間は第１値より小さく、前記第１値は事前定義されるまたは上位層シグナリングによって設定されるチャネル測定方法。
【請求項１４】
請求項９または１０に記載のチャネル測定方法であって、
前記Ｍ個の測定基準信号のうちの少なくとも１つは、同期信号ブロックＳＳＢに関連する、および／または、
前記Ｍ個の測定基準信号のうちの少なくとも１つは、チャネル状態情報基準信号ＣＳＩ−ＲＳに関連するチャネル測定方法。
【請求項１５】
請求項１４に記載のチャネル測定方法であって、
前記測定基準信号に関連するＳＳＢと前記測定基準信号とは、疑似コロケーションＱＣＬ関係を満たす、および／または、
前記測定基準信号に関連するＣＳＩ−ＲＳと前記測定基準信号とは、ＱＣＬ関係を満たすチャネル測定方法。
【請求項１６】
端末装置であって、
ネットワーク側装置によって測定リソースで送信されるＭ個の測定基準信号を受信するための受信モジュールを備え、ここで、Ｍは１より大きい整数であり、
前記測定リソースは、Ｎ個の測定サブリソースを含み、各前記測定サブリソースは時間ドメインおよび周波数ドメインで連続しており、ここで、Ｎ≧１かつＮは整数である端末装置。
【請求項１７】
請求項１６に記載の端末装置であって、
測定計算モジュールをさらに備え、
前記測定計算モジュールは前記Ｍ個の測定基準信号に基づいてチャネルに対して測定計算を行い、チャネル測定結果を取得する、または、
前記測定計算モジュールは前記Ｍ個の測定基準信号と第１測定信号に基づいてチャネルに対して測定計算を行い、チャネル測定結果を取得し、ここで、前記第１測定信号は、同期信号ブロックＳＳＢのセカンダリ同期信号ＳＳＳ、物理ブロードキャストチャネルＰＢＣＨの復調基準信号ＤＭＲＳ、およびチャネル状態情報基準信号ＣＳＩ−ＲＳの少なくとも１つを含む端末装置。
【請求項１８】
ネットワーク側装置であって、
測定リソースで端末装置ＵＥにＭ個の測定基準信号を送信するための送信モジュールを備え、ここで、Ｍは１より大きい整数であり、
前記測定リソースは、Ｎ個の測定サブリソースを含み、各前記測定サブリソースは時間ドメインおよび周波数ドメインで連続しており、ここで、Ｎ≧１かつＮは整数であるネットワーク側装置。
【請求項１９】
端末設備であって、プロセッサ、メモリ、および前記メモリに格納され且つ前記プロセッサで実行可能なプログラムを備え、前記プログラムが前記プロセッサによって実行されると、請求項１から８のいずれか一項に記載のチャネル測定方法のステップが実現される端末設備。
【請求項２０】
ネットワーク側装置であって、プロセッサ、メモリ、および前記メモリに格納され且つ前記プロセッサで実行されるプログラムを備え、前記プログラムが前記プロセッサによって実行されると、請求項９から１５のいずれか一項に記載のチャネル測定方法のステップが実現されるネットワーク側装置。
【請求項２１】
コンピュータ可読記憶媒体であって、前記コンピュータ可読記憶媒体には、プログラムが格納されており、前記プログラムがプロセッサによって実行されると、請求項１から８のいずれか１項に記載のチャネル測定方法のステップ、または請求項９から１５のいずれか１項に記載のチャネル測定方法のステップが実現されるコンピュータ可読記憶媒体。
【発明の詳細な説明】
【技術分野】
【０００１】
（関連出願の相互参照）
本出願は２０１８年９月１０日に中国で提出された中国特許出願番号Ｎｏ．２０１８１１０５２６１９．１の優先権を主張しており、その全ての内容は引用によってここに含まれる。
本開示は、通信技術の分野に関し、特にチャネル測定方法、端末装置、ネットワーク側装置に関する。
【背景技術】
【０００２】
５ＧのＮＲ（Ｎｅｗ  Ｒａｄｉｏ、ＮＲ）システムでは、大規模なアンテナが導入されたので、狭いビームで対応する方向をカバーすることによって、ビームフォーミングの利得が増え、より良い伝送性能が得られる。ビームが狭いので、測定基準信号は、端末装置（Ｕｓｅｒ  Ｅｑｕｉｐｍｅｎｔ，ＵＥ）が複数のビーム方向で信号チャネルの品質に対して評価できるために、複数の異なるビーム方向で送信しなければならない。
【０００３】
ＮＲ  Ｒｅｌ−１５では、ネットワーク側装置は、複数の同期信号ブロック（Ｓｙｎｃｈｒｏｎｉｚａｔｉｏｎ  ｓｉｇｎａｌ  ａｎｄ  ＰＢＣＨ  ｂｌｏｃｋ、ＳＳＢまたはＳＳ／ＰＢＣＨ）またはチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）を送信でき、端末装置ＵＥの測定に応用できる。異なるＳＳＢまたはＣＳＩ−ＲＳが異なるビーム方向に送信される場合、端末装置ＵＥは複数のリソースの測定結果を通してフィードバックし、ネットワークのモビリティ管理を補助する。例えば、無線リソース管理の測定、無線リンク監視、ビーム失敗の検出、または信号チャネル状態の測定を行う。
【０００４】
端末装置ＵＥは複数の測定リソースで測定を行う必要があるため、端末装置ＵＥが信号処理を行う時間において、測定を行う時間の割合が著しく増加し、チャネル測定を行う際、端末装置ＵＥの消費電力が増加する。したがって、端末装置ＵＥの信号チャネル測定際の消費電力をどのように低減するかが解決すべき課題となる。
【発明の概要】
【発明が解決しようとする課題】
【０００５】
チャネル測定の際の端末装置ＵＥの電力消費の問題を解決するために、本開示の実施例はチャネル測定方法、端末装置およびネットワーク側装置を提供する。
【課題を解決するための手段】
【０００６】
上記の技術問題を解決するために、本開示はこのように実現される。
【０００７】
第一、本開示は、端末装置ＵＥに適用されるチャネル測定方法を提供する。以下のことを含む：ネットワーク側装置は、測定リソースで送信されるＭ個の測定基準信号を受信し、ここで、Ｍは１より大きい整数であり、測定リソースは、Ｎ個の測定サブリソースを含み、各測定サブリソースは時間ドメインおよび周波数ドメインで連続している。ここで、Ｎ≧１かつＮは整数である。
【０００８】
第二、本開示は、ネットワーク側装置に適用されるチャネル測定方法を提供する。以下のことを含む：測定リソースで端末装置ＵＥにＭ個の測定基準信号を送信し、ここで、Ｍは１より大きい整数であり、測定リソースは、Ｎ個の測定サブリソースを含み、各測定サブリソースは時間ドメインおよび周波数ドメインで連続している。ここで、Ｎ≧１かつＮは整数である。
【０００９】
第三、本開示は端末装置を提供する。以下のことを含む：モジュールの受信はネットワーク側装置が測定リソースで送信したＭ個の測定基準信号の受信に応用する。ここで、Ｍは１より大きい整数である。測定リソースは、Ｎ個の測定サブリソースを含み、各測定サブリソースは時間ドメインおよび周波数ドメインで連続している。ここで、Ｎ≧１かつＮは整数である。
【００１０】
第四、本開示はネットワーク側装置を提供する。以下のことを含む：モジュールの発信は測定リソースで端末装置ＵＥにＭ個の測定基準信号の発信に応用する。ここで、Ｍは１より大きい整数である。測定リソースは、Ｎ個の測定サブリソースを含み、各測定サブリソースは時間ドメインおよび周波数ドメインで連続している。ここで、Ｎ≧１かつＮは整数である。
【００１１】
第五、本開示は端末装置を提供する。プロセッサ、メモリ、およびメモリに保存する且つプロセッサで実行可能なプログラムを含み、このプログラムは、プロセッサによって実行されると、第一チャネルの測定方法のステップが実現される。
【００１２】
第六、本開示はネットワーク側装置を提供する。プロセッサ、メモリ、およびメモリに保存する且つプロセッサで実行可能なプログラムを含み、プロセッサがプログラムを実行すると、第二チャネルの測定方法のステップが実現される。
【００１３】
第七、本開示は、プログラムが記憶されたコンピュータ可読記憶媒体を提供する。このプログラムは、プロセッサによって実行されると、第一チャネルの測定方法のステップが実現される。または、第二チャネルの測定方法のステップが実現される。
【発明の効果】
【００１４】
本開示の有益な効果は：本開示は、測定リソースにＮ個の測定サブリソースを設定することにより、各測定サブリソースが時間ドメインと周波数ドメインで連続しているため、端末装置ＵＥがチャネルを測定する場合、Ｎ個の測定サブリソースの測定基準信号を時間ドメインまたは周波数ドメインで連続的に受信するだけで、端末装置ＵＥがチャネル測定を行う場合の他の信号への処理時間を低減し、端末装置ＵＥの電力消費も低減される。
【００１５】
本開示の実施例の技術計画をより明確に説明するために、以下では、本開示の実施例の説明において必要とされる図面を簡単に紹介するが、以下の説明における図面は本開示の一部の実施例にすぎない、当業者にとっては、創造的な労働性を支払わない前提に、これらの図面に基づいて他の図面を入手することもできる。
【図面の簡単な説明】
【００１６】
【図１】本開示の実施例によって提供されるチャネル測定システムの構成図である。
【図２】本開示の実施例によって提供されるチャネル測定システムのフローチャートである。
【図３】本開示の実施例によって提供される測定リソースの時間周波数の概略図である。
【図４】本開示の実施例によって提供されるもう一つの測定リソースの時間周波数の概略図である。
【図５】本開示の実施例によって提供されるもう一つの測定リソースの時間周波数の概略図である。
【図６】本開示の実施例によって提供されるサブ測定リソースの配置図である。
【図７】本開示の実施例によって提供されるもう一つのサブ測定リソースの配置図である。
【図８】本開示の実施例によって提供されるＳＳＢ配置概略図である。
【図９】本開示の実施例によって提供される関連技術におけるＳＳＢの時間ドメインと周波数ドメインがリソースを送信する際のマッピング概略図である。
【図１０】本開示の実施例によって提供される測定基準信号の測定リソースにおけるマッピング方法の概略図である。
【図１１】本開示の実施例によって提供されるもう一つの測定基準信号の測定リソースにおけるマッピング方法の概略図である。
【図１２】本開示の実施例によって提供される測定基準信号を繰り返し送信する場合の測定基準信号のマッピング方法である。
【図１３】本開示の実施例によって提供されるもう一つの測定基準信号を繰り返し送信する場合の測定基準信号のマッピング方法である。
【図１４】本開示の実施例によって提供されるもう一つのチャネル測定システムのフローチャートである。
【図１５】本開示の実施例によって提供されるもう一つのチャネル測定システムのフローチャートである。
【図１６】本開示の実施例によって提供される端末装置の構成図である。
【図１７】本開示の実施例によって提供されるネットワーク側装置の構成図である。
【図１８】本開示の実施例によって提供されるもう一つの端末装置の構成図である。
【図１９】本開示の実施例によって提供されるもう一つのネットワーク側装置の構成図である。
【発明を実施するための形態】
【００１７】
以下、本開示の実施例の図面に基づいて、本開示の実施例における技術計画を明確かつ完全に説明するが、説明した実施例は、全ての実施例ではなく、本開示の一部の実施例であることは明らかである。本開示の実施例に基づいて、創造的労働がなされていない前提で取得される他のすべての実施例は、本開示の保護範囲に属する。
【００１８】
本開示の説明書および請求項における用語「第一」、「第二」などは、同様のオブジェクトを区別するために使用されるものであるので、特定の順序または前後順序を示すものではない。本説明書で説明する本開示の実施例は、例えば、ここで図示または説明するもの以外の順序で実施されるように、このように使用されるデータは適切な場合に交換可能であることが理解されるべきである。さらに、専門用語「包括」および「備える」およびそれらの任意の変形の意図は他の包含状態を排除しないようカバーすること。例えば一連のステップまたはユニットを含むプロセス、方法、システム、製品、または装置は、明確に列記されているものに限らないステップまたはユニットを含み、これらのプロセス、方法、製品、または装置に固有のその他のステップまたはユニットは、明確に記載されていないことを含むことができる。さらに、説明書および請求の範囲において、「および／または」を使用して、接続されたオブジェクトの少なくとも１つを表し、例えば、Ａおよび／またはＢおよび／またはＣは、Ａだけ、Ｂだけ、Ｃだけ、およびＡおよびＢの両方が存在し、Ｂ及びＣの両方が存在し、ＡおよびＣの両方が存在し、Ａ、ＢおよびＣが存在する７つの場合を示す。
【００１９】
本説明書で説明する技術は、長期発展型（Ｌｏｎｇ  Ｔｉｍｅ  Ｅｖｏｌｕｔｉｏｎ、ＬＴＥ）／ＬＴＥの進化（ＬＴＥ−Ａｄｖａｎｃｅｄ、ＬＴＥ−Ａ）システムに限定されず、符号分割多元接続（Ｃｏｄｅ  Ｄｉｖｉｓｉｏｎ  Ｍｕｌｔｉｐｌｅ  Ａｃｃｅｓｓ、ＣＤＭＡ）、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ，ＦＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）と他のシステム等様々な無線通信システムにも応用できる。専門用語「システム」および「ネットワーク」は、常に交換可能に使用される。ＣＤＭＡシステムは、ＣＤＭＡ０００、ユニバーサル地上無線アクセス（Ｕｎｉｖｅｒｓａｌ  Ｔｅｒｒｅｓｔｒｉａｌ  Ｒａｄｉｏ  Ａｃｃｅｓｓ、ＵＴＲＡ）などの無線技術を実現することができる。ＵＴＲＡは、ブロードバンドＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）および他のＣＤＭＡの変体を含む。ＴＤＭＡシステムは、グローバルモバイル通信システム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ））のような無線技術を実現することができる。ＯＦＤＭＡシステムは、超モバイルブロードバンド（Ｕｌｔｒａ  Ｍｏｂｉｌｅ  Ｂｒｏａｄｂａｎｄ、ＵＭＢ）、進化型ＵＴＲＡ（Ｅｖｏｌｕｔｉｏｎ−ＵＴＲＡ、Ｅ−ＵＴＲＡ）、ＩＥＥＥ８０２．１１（Ｗｉ−Ｆｉ）、ＩＥＥＥ  ８０２．１６（ＷｉＭＡＸ）、ＩＥＥＥ８０２．２０、Ｆｌａｓｈ−ＯＦＤＭなどの無線技術を実現することができる。ＵＴＲＡとＥ−ＵＴＲＡは、ユニバーサルモバイル電子通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）の一部分である。ＬＴＥおよびより高級のＬＴＥ（例えばＬＴＥ−Ａ）は、Ｅ−ＵＴＲＡを使用する新しいＵＭＴＳバージョンである。ＵＴＲＡ、Ｅ−ＵＴＲＡ、ＵＭＴＳ、ＬＴＥ、ＬＴＥ−Ａ及びＧＳＭは、「第３世代パートナシッププロジェクト」（３ｒｄ  Ｇｅｎｅｒａｔｉｏｎ  Ｐａｒｔｎｅｒｓｈｉｐ  Ｐｒｏｊｅｃｔ、３ＧＰＰ）と命名された組織のドキュメントに記述されている。ＣＤＭＡ２０００およびＵＭＢは、「第３世代パートナシッププロジェクト２」（３ＧＰＰ２）と命名された組織のドキュメントに記述されている。
【００２０】
本説明書で説明する技術は、前記システムおよび無線技術の両方に応用でき、他のシステムおよび無線技術にも適用できる。例えば、本説明書で説明する技術は、新たに定義されたモノネットワーク通信システム、狭帯域通信システム、車載通信システムのネットワーク側装置または端末装置ＵＥ等に適用できる。
【００２１】
以下の説明は例示の目的でＮＲシステムを記述し、以下の説明のほとんどにおいてＮＲ用語を使用してＮＲシステムの例として説明されるが、これらの技術はＮＲシステム以外のシステムにも適用できる。用語は本開示の保護範囲に制限を構成していないことが、所属分野の技術者には理解できる。
【００２２】
以下の説明には提供された事例は請求項に述べた範囲、適用性、または構成を限定されない。議論された要素の機能および配置を変更することができるが、本開示の精神および範囲から逸脱してはいけない。様々な例は、規程またはコンポーネントを適切に省略、代替、または追加することができる。例えば、説明された順番と違った順番で説明された方法を実行することができ、様々なステップを追加、省き、または組み合わせてもよい。さらに、ある例を参照して説明した特徴は、他の例で組み合わされることもできる。
【００２３】
図１は本開示の実施例に適応するチャネル測定システムの構成図である。図１に示すように、端末装置１１とネットワーク側装置１２を含む。その中に、端末装置１１は、端末装置ＵＥ（Ｕｓｅｒ  Ｅｑｕｉｐｍｅｎｔ）であってもよい。例えば、携帯電話、タブレットコンピューター（Ｔａｂｌｅｔ  Ｐｅｒｓｏｎａｌ  Ｃｏｍｐｕｔｅｒ）、ラップトップコンピューター（Ｌａｐｔｏｐ  Ｃｏｍｐｕｔｅｒ）、パーソナルデジタルアシスタント（ｐｅｒｓｏｎａｌ  ｄｉｇｉｔａｌ  ａｓｓｉｓｔａｎｔ，ＰＤＡ）、モバイルインターネットデバイス（Ｍｏｂｉｌｅ  Ｉｎｔｅｒｎｅｔ  Ｄｅｖｉｃｅ、ＭＩＤ）またはウェアラブルデバイス（Ｗｅａｒａｂｌｅ  Ｄｅｖｉｃｅ）等の端末機器とすることができる。なお、本開示の実施例では、端末装置１１のタイプは限定されない。ネットワーク側装置１２は、５Ｇおよび以降のバージョンの基地局（例えば、ｇＮＢ、５Ｇ  ＮＲ  ＮＢ）であってもよく、または他の通信システムの基地であってもよく、またはノードＢと称されてもよい。なお、本開示の実施例では、ネットワーク側装置１２のタイプは限定されない。
【００２４】
前記端末装置１１及びネットワーク側装置１２の具体的な機能については、以下の複数の実施例により具体的に説明する。
【００２５】
図２は、本開示の実施例によって提供されるチャネル測定方法のフローチャートであり、図２に示すように、本開示の実施例は端末装置ＵＥに適用されるチャネル測定方法を提供し、ステップＳ２０１を含む。
【００２６】
Ｓ２０１：ネットワーク側装置が測定リソースで送信したＭ個の測定基準信号を受信する。ここで、Ｍは１より大きい整数である。測定リソースは、Ｎ個の測定サブリソースを含み、各測定サブリソースは時間ドメインおよび周波数ドメインで連続している。ここで、Ｎ≧１かつＮは整数である。
【００２７】
本開示の実施例では、測定リソースとは、ネットワーク側装置がＭ個の測定基準信号を送信する際に必要な時間ドメインおよび周波数ドメインの全てのリソースを指す。
【００２８】
本開示の実施例の選択できる実施方法の一つとして、測定リソースは、上位層シグナリング、メディアアクセス制御（Ｍｅｄｉａ  Ａｃｃｅｓｓ  Ｃｏｎｔｒｏｌ、ＭＡＣ）層制御ユニット（ＭＡＣ  Ｃｏｎｔｒｏｌ  Ｅｌｅｍｅｎｔ、ＭＡＣ  ＣＥ）またはダウンリンク制御情報（Ｄｏｗｎｌｉｎｋ  Ｃｏｎｔｒｏｌ  Ｉｎｆｏｒｍａｔｉｏｎ、ＤＣＩ）指示の一つによって配置される。リソースの周期、フレーム、サブフレーム、時間スロット、シンボル、持続時間、周波数ドメイン位置および帯域幅を測定する。本開示で言及される上位層シグナリングは、システム情報と無線リソース制御（Ｒａｄｉｏ  Ｒｅｓｏｕｒｃｅ  Ｃｏｎｔｒｏｌ、ＲＲＣ）シグナリング等を含む。
【００２９】
本開示の実施例では、Ｍ個の測定基準信号はネットワーク側装置がそれぞれＭ個のビーム方向で送信された信号であり、それによって、端末装置ＵＥがＭ個のビーム方向でチャネル品質を評価できるようにする。その他、Ｍ個の測定基準信号のリソース番号は全部異なる。本開示の実施例は、Ｍの数値に限定されず、Ｍが１より大きい整数であれば本開示の保護範囲に属する。例えば、端末装置ＵＥは、ネットワーク側装置が送信する４つの測定基準信号を受信でき、ネットワーク側装置が測定リソースで送信する８つの測定基準信号をも受信できる。
【００３０】
本開示の実施例では、測定リソースに含まれる測定サブリソースの個数Ｎは、事前定義または上位層シグナリングによって設定される。上位層シグナリングは測定サブリソースの個数Ｎを１に設定できれば、すなわち、ネットワーク側装置は１つの連続時間範囲と周波数範囲で、Ｍ個の測定基準信号を送信するように構成される。そのため、チャネル測定を行う際に、他の信号に対する処理時間及び／または周波数ドメインリソースを最大限に低減し、端末装置ＵＥの電力消費を低減することができる。上位層シグナリングは、測定サブリソースの個数Ｎを２またはほかの数字に設定できる。
【００３１】
本開示の実施例の選択できる実施方法の一つとして、測定サブリソースの個数Ｎは、測定基準信号の個数Ｍより小さい。すなわちＮ＜Ｍである。本開示の選択できる実施方法には、測定サブリソースの個数Ｎが測定基準信号の個数Ｍより小さいので、複数の測定基準信号は１つの測定サブリソースにマッピングでき、端末装置ＵＥが測定基準信号を受信する時の電力消費が低減される。
【００３２】
本開示の実施例では、測定リソースは時間ドメインにＮ個の測定サブリソースを含むことができる。このＮ個の測定サブリソースは時間ドメインにのみ不連続なブレークポイントが存在することが理解できる。図３に示すように、測定リソースは時間ドメインに２つの測定サブリソースを含む。（すなわち、測定サブリソース０と測定サブリソース１の２つの測定サブリソース）
【００３３】
本開示の実施例では、測定リソースは周波数ドメインにＮ個の測定サブリソースを含むことができる。このＮ個の測定サブリソースは周波数ドメインにのみ不連続なブレークポイントが存在することが理解できる。図４に示すように、測定リソースは周波数ドメインに２つの測定サブリソースを含む。（すなわち、測定サブリソース０と測定サブリソース１）具体的な応用では、Ｎ個の測定サブリソースは連続時間を占め、測定リソースは時間ドメインにおいて非常にコンパクトなリソースであるので、Ｍ個の測定基準信号は、この測定リソースのマッピング後に占めた時間リソースが減少し、端末装置ＵＥがこのＭ個の測定基準信号を受信する時間が減少された。
【００３４】
本開示の実施例では、測定リソースは時間ドメインと周波数ドメインにＮ個の測定サブリソースを含むことができる。このＮ個の測定サブリソースは時間ドメインと周波数ドメインに不連続なブレークポイントが存在することが理解できる。図５に示すように、測定リソースは、時間ドメインおよび周波数ドメインに４つの測定サブリソースを含む。（すなわち、測定サブリソース０、測定サブリソース１、測定サブリソース２、および測定サブリソース３の４つのサブリソース）
【００３５】
本開示の実施例では、各測定サブリソースの時間ドメインにおける継続時間は、事前定義または上位層シグナリングによって設定され、および／または、各測定サブリソースの周波数ドメインにおける帯域幅は、事前定義または上位層シグナリングによって設定される。具体的な応用では、各測定リソースが時間ドメインに含まれた測定サブリソースの数Ｎ＝２なら、すなわち測定サブリソースが測定サブリソース０と測定サブリソース１を含むことを意味する。図６に示すように、測定サブリソース０または測定サブリソース１の時間ドメインにおける持続時間は４つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）となるように設定することができる。周波数ドメインにおける帯域幅１２７リソースエレメント（Ｒｅｓｏｕｒｃｅ  Ｅｌｅｍｅｎｔ、ＲＥ）である。  
【００３６】
本開示の実施例では、各測定サブリソースは測定リソースにおける位置は、上位層シグナリングによって設定される。測定サブリソースの位置の設定は測定サブリソースは測定リソースにおける位置を確定するためであり、測定サブリソースの測定リソースにおける位置は、時間ドメインおよび周波数ドメインに含まれる。具体的な応用では、測定サブリソースは測定リソースの開始位置または他の位置によって、測定サブリソースの測定リソースにおける位置を確定することができ、例えば、測定サブリソースの中間位置を設定することができる。
【００３７】
本開示の実施例の選択できる実施方法として、Ｎ個の測定サブリソースは時間ドメインにおける持続時間が第１値より小さく、第１値は事前定義または上位層シグナリングによって設定される。具体的な応用では、事前定義の第１値は、２ｍｓ、５ｍｓまたは他の数字とすることができ、本開示の実施例では具体的に限定されない。測定サブリソースを事前定義またはコンパクトな測定リソース内に設定することにより、端末装置ＵＥがチャネル測定を行う際の電力消費を低減する。
【００３８】
本開示の実施例の選択できる実施方法として、図７に示すように、測定サブリソースの時間ドメインにおける持続時間は４つのＯＦＤＭシンボルであり、周波数ドメインにおける帯域幅は２０リソースブロック（Ｒｅｓｏｕｒｃｅ  Ｂｌｏｃｋ、ＲＢ）である。各測定基準信号が１つのＯＦＤＭシンボルを占有すると、この測定サブリソースで４つの測定基準信号を送信することができ、各ＯＦＤＭシンボルの上で最大２４０個のリソースユニットＲＥを利用でき、測定基準信号の受信に応用することができる。具体的な応用では、測定サブリソースの持続時間と帯域幅はＳＳＢと同じであるが、この測定サブリソースは４つの測定基準信号を送信するに応用でき、ＳＳＢは１つのセカンダリ同期信号のみを送信することに応用できる（Ｓｅｃｏｎｄａｒｙ  Ｓｙｎｃｈｒｏｎｉｚａｔｉｏｎ  Ｓｉｇｎａｌ、ＳＳＳ）。この選択できる実施例における測定サブリソースにより、測定基準信号が集中する時間周波数リソース上で送信され、端末装置ＵＥがチャネル測定を行う際の電力消費を低減することができる。さらに、上位層シグナリングによって、測定サブリソースの時間周波数リソース位置を示すことができ、例えば、５ｍｓのＳＳＢバーストセット（ｂｕｒｓｔ  ｓｅｔ）で、測定サブリソースの位置として新しい位置を定義することができる。測定サブリソースはあるインデックスのＳＳＢの位置にあってもよい。図８に示すように、３．５  ＧＨｚバンドでは最大８つのＳＳＢを送ることができる。実際の展開では、ＳＳＢを６つだけ使用してカバーし、他の２つの位置にＳＳＢを送信していない。例えば、インデックス５と７のＳＳＢ位置にＳＳＢが送信されていない場合、測定サブリソースは、インデックス５と７のＳＳＢの位置においてもよい。例えば、これら２つのインデックスのＳＳＢは、上位層シグナリング、ＭＡＣ  ＣＥ、またはＤＣＩによって、測定基準信号を送信する時間周波数リソースとして示されてもよい。
【００３９】
本開示の実施例では、各測定基準信号は、ｍシーケンス、ＺＣシーケンス、ｇｏｌｄシーケンスのうちの少なくとも１つ、またはｍシーケンス、ＺＣシーケンスおよびｇｏｌｄシーケンスのうちの少なくとも２つの積を含む。
【００４０】
具体的な応用では、測定基準信号はｍシーケンス、ＺＣ（Ｚａｄｏｆｆ−Ｃｈｕ）シーケンス、およびｇｏｌｄシーケンスのうちの少なくとも２つは変調後のシーケンスである。比特級の変調は２つのバイナリシーケンスのモード２プラスであり、すなわちスクランブリングである。シンボル級の変調は、２つのシーケンスをシンボルにマッピングした後のシンボル級の乗算である。例えば、測定基準信号は、２つのｍシーケンスのシンボルレベルの乗算、ＺＣシーケンスおよびｇｏｌｄシーケンスのシンボルレベルの乗算またはＺＣシーケンスおよびｇｏｌｄシーケンスのシンボルレベルの乗算である。
【００４１】
具体的な応用では、測定基準信号はＳＳＢのセカンダリ同期信号（Ｓｅｃｏｎｄａｒｙ  Ｓｙｎｃｈｒｏｎｉｚａｔｉｏｎ  Ｓｉｇｎａｌ、ＳＳＳ）と同じシーケンスを採用でき、ＳＳＳと同じ生成多項式、生成パラメータと初期状態を採用するが、シーケンス長は１２７より大きい。測定基準信号は、ＣＳＩ−ＲＳと同じシーケンスまたは復調基準信号（Ｄｅｍｏｄｕｌａｔｉｏｎ  Ｒｅｆｅｒｅｎｃｅ  Ｓｉｇｎａｌ、ＤＭＲＳ）と同じシーケンスであることもできる。本開示の実施例は、ＳＳＳ、ＣＳＩ−ＲＳまたはＤＭＲＳと同じシーケンスを採用しているが、本開示の実施例における測定基準信号の測定リソースにおけるマッピング方式は関連技術とは異なる。
【００４２】
以下は関連技術におけるＳＳＳのマッピング方式のみで具体的に説明する。図９は相関技術におけるＳＳＢの時間ドメインと周波数ドメインの伝送リソースマップの概略図である。測定用のＳＳＢが周波数方向で２４０個のリソースユニットＲＥを占有し、時間方向で４つのＯＦＤＭシンボルを占有し、主同期信号（Ｐｒｉｍａｒｙ  Ｓｙｎｃｈｒｏｎｉｚａｔｉｏｎ  Ｓｉｇｎａｌ、ＰＳＳ）、ＳＳＳ、物理ブロードキャストチャネル（Ｐｈｙｓｉｃａｌ  ｂｒｏａｄｃａｓｔ  Ｃｈａｎｎｅｌ、ＰＢＣＨ）、ＰＢＣＨのＤＭＲＳを含む。ＳＳＢのリソース内の各信号のマッピング位置は表１に示すように設定される。
【００４３】
【表１】
2021536719.tif 000003
【００４４】
表１中、ｖ＝ＮｃｅｌｌＩＤｍｏｄ４である。
【００４５】
関連技術におけるＳＳＳはＳＳＢ構造にマッピングされた部分的リソースユニットであることが分かる。
【００４６】
本開示の実施例では、測定基準信号は、関連技術におけるＳＳＢ構造の一部のリソースユニットにマッピングされるのではなく、測定サブリソースおよび／または測定リソースにマッピングされる。本開示の実施例では、測定基準信号の測定サブリソースおよび／または測定リソースにおけるマッピング方式は、上位層シグナリングに設定され、または事前マッピング規則によって決定される。
【００４７】
具体的な応用では、上位層シグナリングは、測定基準信号の測定リソースと測定サブリソースにおけるマッピング方式を直接に設定することができる。
【００４８】
その他、測定基準信号の測定サブリソースおよび／または測定リソースにおけるマッピング方式は事前マッピング規則によって決定されることもできる。例えば、測定リソースの複数の測定サブリソースにおいて、各測定基準信号をリソース番号の昇順で周波数ドメインから時間ドメインの順に送信してマッピングし、または、リソース番号の昇順で時間ドメインから周波数ドメインの順に送信してマッピングすることもでき、他のマッピング規則であってもよい。本開示の実施例はそれに対して限定されない。各測定サブリソースにおいて、各測定基準信号を資源番号によって時間ドメインの昇順あるいは降順でマッピングし、他のマッピング規則であってもよい。本開示の実施例はそれに対して限定されない。
【００４９】
本開示の実施例では、各測定基準信号が時間ドメインで占有されるＯＦＤＭシンボル数はＰである。その中に、Ｐ≧１，且つＰは整数である。具体的な応用では、各測定基準信号に占有されるＯＦＤＭシンボル数は１、２あるいは他の数値であることができ、本開示の実施例はそれに対して限定されない。
【００５０】
以下では、各測定基準信号が時間ドメインにおいて１つのＯＦＤＭシンボルを占有し、測定リソースに含まれた測定サブリソースの個数Ｎ＝２、それに各測定サブリソースは、時間ドメインにおいて４つのＯＦＤＭシンボルを占有することを例として、測定リソースおよび測定基準信号の測定リソースにおけるマッピング方式に対して説明する。本開示の実施例の一つとして、端末装置ＵＥのあるセルは８つのビームでカバーされ、端末装置ＵＥによって受信された８つの測定基準信号はチャネル測定を完了することができ、この８つの測定基準信号のリソース番号は｛０，１，２…７｝端末装置ＵＥによって受信された８つの測定基準信号の測定リソースにおけるマッピング方式は、リソース番号に従って時間ドメイン方向で昇順にマッピングされる。図１０に示すように、リソース番号０の測定基準信号は第１のＯＦＤＭシンボルにマッピングされ、リソース番号１の測定基準信号は第２のＯＦＤＭシンボルにマッピングされ・・・リソース番号７の測定基準信号は、最後のＯＦＤＭシンボルにマッピングされる。この例は、測定基準信号の測定リソースにおけるマッピング方式の例だけであり、このマッピング方式に限定されない。
【００５１】
以下では、各測定基準信号が時間ドメインにおいて１つのＯＦＤＭシンボルを占有し、測定リソースに含まれた測定サブリソースの個数Ｎ＝４、それに各測定サブリソースは、時間ドメインにおいて４つのＯＦＤＭシンボルを占有することを例として、測定リソースおよび測定基準信号の測定リソースにおけるマッピング方式に対して説明する。本開示の実施例のもう一つとして、端末装置ＵＥのあるセルは１６つのビームでカバーされ、端末装置ＵＥによって受信された１６つの測定基準信号はチャネル測定を完了することができ、この１６つの測定基準信号のリソース番号は｛０，１，２…１５｝端末装置ＵＥによって受信された１６個の測定基準信号の測定リソースにおけるマッピング方式は：測定リソースの複数の測定サブリソースにおいて、各測定基準信号をリソース番号の昇順で周波数ドメインから時間ドメインの順に送信してマッピングする。即ち、図１１に示すように、まず、リソース番号０−３の測定基準信号は、測定サブリソース０にマッピングされ、次に、リソース番号４−７の測定基準信号は、測定サブリソース１にマッピングされ、または、リソース番号８−１１の測定基準信号は、測定サブリソース２にマッピングされ、または、リソース番号１２−１５の測定基準信号は、測定サブリソース３にマッピングされるという順番でマッピングする。図１１の測定サブリソースの番号は図５と同じであり、図１１には測定サブリソースの番号を示さない。その他、各測定サブリソースにおいて、各測定基準信号を資源番号によって時間ドメインの昇順でマッピングし、図１１に示すように、測定サブリソース０において、リソース番号０，１，２，３の測定基準信号はそれぞれに測定サブリソース０の第１，２，３，４のＯＦＤＭシンボルにマッピングされる。測定サブリソース１において、リソース番号４，５，６，７の測定基準信号はそれぞれに測定サブリソース１の第１，２，３，４のＯＦＤＭシンボルにマッピングされる。測定基準信号の測定サブリソース２と測定サブリソース３におけるマッピング方式は、前記測定基準信号の測定サブリソース０と測定サブリソース１におけるマッピング方式と似ており、具体的には、測定サブリソース０と測定サブリソース１におけるマッピング方式をご参照ください。この例は、測定基準信号の測定リソースにおけるマッピング方式の例だけであり、このマッピング方式に限定されない。
【００５２】
本開示の選択できる実施方法の一つとして、Ｍ個の測定基準信号を測定リソースにおける繰り返し送信する回数はＰであり、Ｐ≧２且つＰは整数である。
【００５３】
本開示の選択できる実施例の一つとして、端末装置ＵＥのあるセルは４つのビームでカバーされ、端末装置ＵＥによって受信された４つの測定基準信号はチャネル測定を完了することができる。図１２に示すように、各測定基準信号は時間ドメインにおいて１つのＯＦＤＭシンボルを占有し、測定リソースは時間ドメインにおいて測定サブリソースＮ＝２を含み、それに各測定サブリソースは時間ドメインにおいて４つのＯＦＤＭシンボルを占有する。それによって、事前定義または上位層シグナリングに設定された測定リソースにおいてこの４つの測定基準信号に対して２回目の繰り返し受信することができる。各ビーム方向でパイロットをより多く測定することにより、端末装置ＵＥの測定精度を向上させることができる。
【００５４】
本開示の選択できる実施方法のもう一つとして、端末装置ＵＥのあるセルは８つのビームでカバーされ、端末装置ＵＥによって受信された８つの測定基準信号はチャネル測定を完了することができる。図１３に示すように、各測定基準信号は時間ドメインにおいて１つのＯＦＤＭシンボルを占有し、測定リソースは時間ドメインにおいて含まれた測定サブリソースの個数Ｎ＝４、それに各測定サブリソースは時間ドメインにおいて４つのＯＦＤＭシンボルを占有する。それによって、事前定義または上位層シグナリングに設定された測定リソースにおいてこの８つの測定基準信号に対して２回目の繰り返し受信することができる。各ビーム方向でパイロットをより多く測定することにより、端末装置ＵＥの測定精度を向上させることができる。
【００５５】
本開示の実施例の選択できる実施方法の一つとして、上位層シグナリングによって異なる測定基準信号を指示することでＱＣＬ関係を満たし、または事前定義の規則に従って異なる測定基準信号のＱＣＬ関係を決定する。
【００５６】
具体的な応用では、事前定義の規則は、ｍｏｄ（Ａ，Ｂ）の値は同じである測定基準信号が疑似コロケーション（Ｑｕａｓｉ  Ｃｏ−Ｌｏｃａｔｉｏｎ、ＱＣＬ）関係を満たすこととすることができる。ここで、Ａは測定基準信号のリソース番号であり、Ｂは事前定義の数値である。例えば、Ｂをある周波数帯域内の最大ＳＳＢ数として事前定義され、３ＧＨｚ以下の周波数範囲でＢ＝４、３−６ＧＨｚの周波数範囲でＢ＝８、６ＧＨｚ以上の周波数範囲でＢ＝６４とする。以下はＢ＝４のみで説明する。図１０に示すように、端末装置ＵＥによって受信された測定基準信号のリソース番号は｛０，１，・・・７｝であれば、リソース番号が０と４の測定基準信号はＱＣＬ関係を満たし、リソース番号が１と５の測定基準信号はＱＣＬ関係を満たし、リソース番号が２と６の測定基準信号はＱＣＬ関係を満たし、リソース番号が３と７の測定基準信号はＱＣＬ関係を満たすことになった。ＮＲシステムはマルチビーム伝送に基づき、信号の受信に対して、好ましい受信ビームに基づいて受信してこそ、比較的に良い受信機能が得られる。２つの測定基準信号がＱＣＬ関係を満たすと判定された場合、端末装置ＵＥは同じ受信ビームで受信することができる。明確に異なる測定基準信号の間でＱＣＬ関係を満たす場合、端末装置ＵＥが好ましい受信ビームを決定するのに便利である。それによって、重複するビームトレーニングによる複雑さを回避することができる。
【００５７】
本開示の実施例の選択できる実施方法の一つとして、各測定基準信号のＱＣＬパラメータは同じまたは異なる。ＱＣＬパラメータは、以下の少なくとも１つを含む。平均待ち時間、待ち時間拡張、ドップラー周波数シフト、ドップラー拡張、空間受信パラメータ、および平均利得。
【００５８】
具体的な応用では、ＱＣＬタイプによってＱＣＬパラメータを指示することができる。例えば：ＱＣＬタイプがＱＣＬ−ＴｙｐｅＡの場合、ＱＣＬパラメータはドップラー周波数オフセット、ドップラー拡張、平均待ち時間と待ち時間拡張であり、ＱＣＬタイプがＱＣＬ−ＴｙｐｅＢの場合、ＱＣＬパラメータはドップラー周波数オフセットおよびドップラー拡張であり、ＱＣＬタイプがＱＣＬ−ＴｙｐｅＣの場合、ＱＣＬパラメータはドップラー周波数オフセットと平均待ち時間であり、ＱＣＬタイプがＱＣＬ−ＴｙｐｅＤの場合、ＱＣＬパラメータは空間受信パラメータである。
【００５９】
本開示の実施例の選択できる実施方法の一つとして、ＱＣＬタイプは、上位層シグナリング、ＭＡＣ  ＣＥ、またはＤＣＩによって設定できる。例えば、ＲＲＣ専用シグナリングによってＱＣＬタイプを指示でき、すなわち、どのパラメータがＱＣＬであるかを示すことができる。
【００６０】
本開示の実施例では、各測定基準信号のＱＣＬパラメータは同じかまたは異なる。具体的な応用では、各測定基準信号のＱＣＬパラメータは同じであることができ、異なることもできる。例えば、図１０に示すように、リソース番号０と４の測定基準信号はＱＣＬ関係を満たし、リソース番号０と４のＱＣＬタイプはＱＣＬ−ＴｙｐｅＡであり、つまり、ＱＣＬを満たすパラメータはドップラー周波数オフセット、ドップラー拡張、平均待ち時間と待ち時間拡張である。リソース番号１と５の測定基準信号はＱＣＬ関係を満たし、リソース番号１と５のＱＣＬタイプもＱＣＬ−ＴｙｐｅＡでき、つまり、ＱＣＬを満たすパラメータは、プラー周波数オフセット、ドップラー拡張、平均時間拡張、および待ち時間拡張であることもできる。リソース番号２と６の測定基準信号はＱＣＬ関係を満たし、リソース番号２と６のＱＣＬタイプはＱＣＬ−ＴｙｐｅＢであり、つまり、ＱＣＬを満たすパラメータは、ドップラー周波数オフセットとドップラー拡張である。リソース番号３と７の測定基準信号はＱＣＬ関係を満たし、リソース番号３と７のＱＣＬタイプはＱＣＬ−ＴｙｐｅＣであり、つまり、ＱＣＬを満たすパラメータはドップラー周波数オフセットと平均待ち時間であることもできる。リソース番号｛０，４｝はリソース番号｛１，５｝のＱＣＬパラメータと同じであり、リソース番号｛１，５｝とリソース番号｛２，６｝のＱＣＬパラメータは異なることが分かる。
【００６１】
本開示の実施例の選択できる実施方法の一つとして、上位層シグナリングによって測定基準信号の周期的な送信または測定基準信号の半持続（ｓｅｍｉ−ｐｅｒｓｉｓｔｅｎｔ）の送信を設定する。ＰＤＣＣＨで測定基準信号を非周期である送信を設定することもできる。
【００６２】
本開示の実施例の選択できる実施方法の一つとして、各測定基準信号は、上位層シグナリング、ＭＡＣ  ＣＥ、またはＤＣＩ指示の少なくとも以下の１つによって設定される。セル番号、セル番号リスト、サブキャリア間隔、循環プレフィックス（Ｃｙｃｌｉｃ  Ｐｒｅｆｉｘ、ＣＰ）長さ、基準信号生成を測定するスクランブリング番号、ＳＳＢにおけるセカンダリ同期信号ＳＳＳに対する測定基準信号のパワーオフセット、測定基準信号がＱＣＬ関係を満たすＳＳＢのインデックス、測定基準信号がＱＣＬ関係を満たすＣＳＩ−ＲＳのリソース番号と測定基準信号のＱＣＬタイプ。循環プレフィックスＣＰは、従来のＣＰおよび拡張ＣＰを含む。従来のＣＰは、各スロットにおいて７つのＯＦＤＭシンボルを有し、拡張ＣＰは、各スロットにおいて６つのＯＦＤＭシンボルを有する。また、端末装置ＵＥは、ＳＳＳに対する測定基準信号のパワーオフセット（ｐｏｗｅｒ  ｏｆｆｓｅｔ）から、この測定基準信号の各リソースユニットのエネルギー（Ｅｎｅｒｇｙ  ｐｅｒ  Ｒｅｓｏｕｒｃｅ  Ｅｌｅｍｅｎｔ、ＥＰＲＥ）を算出できる。
【００６３】
本開示の実施例では、図１４に示すように、チャネル測定方法はステップＳ２０２を含む。
【００６４】
Ｓ２０２：Ｍ個の測定基準信号に基づいてチャネルに測定計算を行い、チャネル測定結果を取得する。またはＭ個の測定基準信号と第１測定信号とに基づいてチャネルに測定計算を行い、チャネル測定結果を取得する。ここで、第１測定信号は、ＳＳＢのセカンダリ同期信号ＳＳＳ、物理ブロードキャストチャネルＰＢＣＨの復調基準信号ＤＭＲＳ、ＣＳＩ−ＲＳの少なくとも１つを含む。
【００６５】
本開示の実施例の選択できる実施方法の一つとして、Ｍ個の測定基準信号のうちに少なくとも１つは、同期信号ブロックＳＳＢに関連し、および／または、Ｍ個の測定基準信号のうちの少なくとも１つは、チャネル状態情報基準信号ＣＳＩ−ＲＳに関連している。
【００６６】
本開示の実施例の選択できる実施方法の一つとして、測定基準信号に関連するＳＳＢおよび測定基準信号は疑似コロケーションＱＣＬ関係を満たす。および／または、測定基準信号に関連するＣＳＩ−ＲＳおよび測定基準信号はＱＣＬ関係を満たす。
【００６７】
具体的な応用では、基準信号とＳＳＢとの関連関係は上位層シグナリング、ＭＡＣ  ＣＥ、またはＤＣＩによって設定できる。例えば、上位層シグナリング、ＭＡＣ  ＣＥ、またはＤＣＩに設定された測定基準信号とＳＳＢのインデックスがＱＣＬ関係を満たすことができる。端末装置ＵＥは、この測定基準信号とＱＣＬ関係を満たすＳＳＢとの連携に基づいて測定計算を行い、ＥＰＲＥを利用してチャネル測定結果を線形平均化にする。
【００６８】
その他、基準信号とＣＳＩ−ＲＳとの関連関係は上位層シグナリング、ＭＡＣ  ＣＥ、またはＤＣＩによって設定できる。例えば、上位層シグナリング、ＭＡＣ  ＣＥ、またはＤＣＩに設定された測定基準信号とＣＳＩ−ＲＳのインデックスがＱＣＬ関係を満たすことができる。端末装置ＵＥは、この測定基準信号とＱＣＬ関係を満たすＣＳＩ−ＲＳとの連携に基づいて測定計算を行い、ＥＰＲＥを利用してチャネル測定結果を線形平均化にする。
【００６９】
本開示の実施例の選択できる実施方法の一つとして、Ｍ個の測定基準信号は、以下の機能の少なくとも一つを備えている。無線リソース管理（Ｒａｄｉｏ  Ｒｅｓｏｕｒｃｅ  Ｍａｎａｇｅｍｅｎｔ、ＲＲＭ）の測定、無線リンク監視（Ｒａｄｉｏ  Ｌｉｎｋ  Ｍｏｎｉｔｏｒｉｎｇ、ＲＬＭ）の測定評価、ビーム失敗測定（Ｂｅａｍ  Ｆａｉｌｕｒｅ  Ｄｅｔｅｃｔｉｏｎ、ＢＦＤ）の測定評価とチャネル状態情報（Ｃｈａｎｎｅｌ  Ｓｔａｔｅ  Ｉｎｆｏｒｍａｔｉｏｎ、ＣＳＩ）の取得。例えば、上報層３（Ｌｅｖｅｌ  ３，Ｌ  ３）の基準信号受信電力（Ｒｅｆｅｒｅｎｃｅ  ｓｉｇｎａｌ  ｒｅｃｅｉｖｅｄ  ｐｏｗｅｒ、ＲＳＲＰ）、基準信号受信品質（Ｒｅｆｅｒｅｎｃｅ  ｓｉｇｎａｌ  ｒｅｃｅｉｖｅｄ  ｑｕａｌｉｔｙ、ＲＳＲＱ）、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、基準信号強度表示（Ｒｅｃｅｉｖｅｄ  Ｓｉｇｎａｌ  Ｓｔｒｅｎｇｔｈ  Ｉｎｄｉｃａｔｏｒ、ＲＳＳＩ）などが含まれている。レイヤー１（Ｌｅｖｅｌ  １、Ｌ  １）として使用されるＲＳＲＰ、チャネル品質表示（Ｃｈａｎｎｅｌ  Ｑｕａｌｉｔｙ  Ｉｎｄｉｃａｔｏｒ、ＣＱＩ）、プリコーディング・マトリクス指示（Ｐｒｅｃｏｄｉｎｇ  Ｍａｔｒｉｘ  Ｉｎｄｉｃａｔｏｒ、ＰＭＩ）、および／またはランク指示（Ｒａｎｋ  Ｉｎｄｉｃａｔｏｒ、ＲＩ）などの測定が報告される。
【００７０】
本開示の実施例の選択できる実施方法の一つとして、測定リソース、または測定基準信号のある時間スロットまたはシンボルにおいて、端末装置ＵＥは、以下の少なくとも１つを含むと仮定する。端末装置ＵＥはアップリンクスケジューリングを行わないと仮定し、アップリンクスケジューリングは、物理アップリンク共有チャネルＰＵＳＣＨ、物理ダウンリンク制御チャネルＰＤＣＣＨ、物理ランダムアクセスチャネルＰＲＡＣＨ、およびプローブ基準信号ＳＲＳの少なくとも１つを含む。端末装置ＵＥは下りスケジューリングを行わないと仮定し、下りスケジューリングは、物理ダウンリンク共有チャネルＰＤＳＣＨ、物理ダウンリンク制御チャネルＰＤＣＣＨ、およびＣＳＩ−ＲＳの少なくとも１つを含む。端末装置ＵＥは、上位層シグナリングに上りの時間スロットまたは上りのシンボルに設定されないと仮定する。端末装置ＵＥは、ダウンリンク制御情報ＤＣＩに上りの時間スロットまたは上りのシンボルに設定されないと仮定する。
【００７１】
具体的な応用では、端末装置ＵＥが、ＰＵＳＣＨ、ＰＵＣＣＨ、ＰＲＡＣＨ、ＳＲＳのように測定基準信号に基づいて送信されたＯＦＤＭシンボルで上りスケジューリングを行った場合、端末装置ＵＥは、この測定基準信号によるＲＲＭ測定を放棄する。また、端末装置ＵＥは、測定基準信号の伝送位置でＰＤＳＣＨのスケジューリングを受信すると、測定基準信号の送信リソースに基づいてレートマッチングを行い、またはスケジューリングＰＤＳＣＨのＰＤＣＣＨでは、送信測定基準信号リソースにレートマッチングを行う必要があるかどうかを示す。
【００７２】
本開示は、測定リソースにＮ個の測定サブリソースを設定することにより、各測定サブリソースが時間ドメインと周波数ドメインで連続しているため、端末装置ＵＥがチャネルを測定する場合、Ｎ個の測定サブリソースの測定基準信号を時間ドメインまたは周波数ドメインで連続的に受信するだけで、端末装置ＵＥがチャネル測定を行う際の処理時間を低減し、端末装置ＵＥの電力消費も低減される。また、比較的短い時間で測定基準信号の測定が完了すると、ＬＢＴ（Ｌｉｓｔｅｎ  Ｂｅｆｏｒｅ  Ｔａｌｋ）の失敗を防ぐことができ、測定基準信号は送信するリソースが十分ではない。
【００７３】
本開示の実施例は、図１５に示すように、ネットワーク側装置に適用されるチャネル測定方法をも提供する。ステップＳ１５０１を含む。
【００７４】
Ｓ１５０１：測定リソースで端末装置ＵＥにＭ個の測定基準信号を送信する。ここで、Ｍは１より大きい整数である。測定リソースは、Ｎ個の測定サブリソースを含み、各測定サブリソースは時間ドメインおよび周波数ドメインで連続している。ここで、Ｎ≧１かつＮは整数である。
【００７５】
各測定サブリソースの時間ドメインにおける継続時間は、事前定義または上位層シグナリングによって設定され、および／または、各測定サブリソースの周波数ドメインにおける帯域幅は、事前定義または上位層シグナリングによって設定される。
【００７６】
各測定サブリソースは測定リソースにおける位置は、上位層シグナリングによって設定される。
【００７７】
測定基準信号の測定サブリソースおよび／または測定リソースにおけるマッピング方式は、上位層シグナリングに設定され、または事前マッピング規則によって決定される。
【００７８】
Ｎ個の測定サブリソースは時間ドメインにおける持続時間が第１値より小さく、第１値は事前定義または上位層シグナリングによって設定される。
【００７９】
測定リソースに含まれる測定サブリソースの個数Ｎは、事前定義または上位層シグナリングによって設定される。
【００８０】
測定サブリソースの個数Ｎは、測定基準信号の個数Ｍより小さい。すなわちＮ＜Ｍである。
【００８１】
各測定基準信号のＱＣＬパラメータは同じまたは異なる。
【００８２】
Ｍ個の測定基準信号のうちに少なくとも１つは、同期信号ブロックＳＳＢに関連し、および／または、Ｍ個の測定基準信号のうちの少なくとも１つは、チャネル状態情報基準信号ＣＳＩ−ＲＳに関連している。
【００８３】
測定基準信号に関連するＳＳＢおよび測定基準信号はＱＣＬ関係を満たす。および／または、測定基準信号に関連するＣＳＩ−ＲＳおよび測定基準信号はＱＣＬ関係を満たす。
【００８４】
ＱＣＬパラメータは、以下の少なくとも１つを含む。平均待ち時間、待ち時間拡張、ドップラー周波数シフト、ドップラー拡張、空間受信パラメータ、および平均利得。
【００８５】
各測定基準信号は、ｍシーケンス、ＺＣシーケンス、ｇｏｌｄシーケンスのうちの少なくとも１つ、またはｍシーケンス、ＺＣシーケンスおよびｇｏｌｄシーケンスのうちの少なくとも２つの積を含む。
【００８６】
測定リソースは、上位層シグナリング、メディアアクセス制御層の制御ユニットＭＡＣ  ＣＥ、または下り制御情報ＤＣＩによって示された以下の少なくとも一つに設定される。測定リソースの周期、開始フレーム、開始サブフレーム、開始スロット、開始記号、持続時間、周波数ドメイン位置、および帯域幅。
【００８７】
各測定基準信号は、上位層シグナリング、ＭＡＣ  ＣＥ、またはＤＣＩ指示の少なくとも以下の１つによって設定される。セル番号、セル番号リスト、サブキャリア間隔、循環プレフィックスＣＰ長さ、基準信号生成を測定するスクランブリング番号、ＳＳＢにおけるセカンダリ同期信号に対する測定基準信号のパワーオフセット、測定基準信号がＱＣＬ関係を満たすＳＳＢのインデックス、測定基準信号がＱＣＬ関係を満たすＣＳＩ−ＲＳのリソース番号と測定基準信号のＱＣＬタイプ。
【００８８】
Ｍ個の測定基準信号は、以下の作用の少なくとも一つを備えている。無線リソース管理ＲＲＭの測定、無線リンク監視ＲＬＭの測定評価、ビーム失敗測定ＢＦＤの測定評価およびチャネル状態情報ＣＳＩの取得。
【００８９】
端末装置ＵＥは、測定リソース、または基準信号がある時間スロットまたはシンボルで、以下の少なくとも１つを含むと仮定する。
【００９０】
端末装置ＵＥはアップリンクスケジュールが行われないと仮定する。アップリンクスケジューリングが、物理アップリンク共有チャネルＰＵＳＣＨ、物理ダウンリンク制御チャネルＰＤＣＣＨ、物理ランダムアクセスチャネルＰＲＡＣＨ、およびプローブ基準信号ＳＲＳの少なくとも１つを含むと仮定する。
端末装置ＵＥは下りスケジューリングを行わないと仮定する。下りスケジューリングは、物理ダウンリンク共有チャネルＰＤＳＣＨ、物理ダウンリンク制御チャネルＰＤＣＣＨ、およびＣＳＩ−ＲＳの少なくとも１つを含む。
端末装置ＵＥは、上位層シグナリングによって上りの時間スロットまたは上りのシンボルに設定されないと仮定する。
端末装置ＵＥは、ダウンリンク制御情報ＤＣＩによって上りの時間スロットまたは上りのシンボルに設定されないと仮定する。
【００９１】
上位層シグナリングによって測定基準信号の周期的な送信または測定基準信号の半持続（ｓｅｍｉ−ｐｅｒｓｉｓｔｅｎｔ）の送信を設定する。ＰＤＣＣＨで測定基準信号を非周期である送信を設定することもできる。
【００９２】
重複を避けるために、本開示は測定基準信号を送信する測定リソース、測定サブリソース、測定基準信号などを具体的に説明しない。
【００９３】
本開示は、測定リソースにＮ個の測定サブリソースを設定することにより、各測定サブリソースが時間ドメインで連続しているため、端末装置ＵＥがチャネルを測定する場合、Ｎ個の測定サブリソースの測定基準信号を時間ドメインまたは周波数ドメインで連続的に受信するだけで、端末装置ＵＥがチャネル測定を行う際の他の信号に対する処理時間を低減し、端末装置ＵＥの電力消費も低減される。
【００９４】
本開示の実施例は、端末装置も提供する。図１６に示すように、端末装置１６００は、受信モジュール１６０１を含む。この中に、受信モジュール１６０１は、ネットワーク側装置が測定リソースで送信したＭ個の測定基準信号の受信に応用する。ここで、Ｍは１より大きい整数である。測定リソースは、Ｎ個の測定サブリソースを含み、各測定サブリソースは時間ドメインおよび周波数ドメインで連続している。ここで、Ｎ≧１かつＮは整数である。
【００９５】
端末装置はまた、測定計算モジュール１６０２を含む。この中に、
測定計算モジュール１６０２はＭ個の測定基準信号に基づいてチャネルに測定計算を行い、ャネル測定結果を取得する。または、
測定計算モジュール１６０２はＭ個の測定基準信号と第１測定信号に基づいてチャネルに測定計算を行い、チャネル測定結果を取得する。ここで、第１測定信号は、ＳＳＢのＳＳＳ、ＰＢＣＨのＤＭＲＳ及びＣＳＩ−ＲＳの少なくとも１つを含む。
【００９６】
本開示は、測定リソースにＮ個の測定サブリソースを設定することにより、各測定サブリソースが時間ドメインと周波数ドメインで連続しているため、端末装置ＵＥがチャネルを測定する場合、Ｎ個の測定サブリソースの測定基準信号を時間ドメインまたは周波数ドメインで連続的に受信するだけで、端末装置ＵＥがチャネル測定を行う際の他の信号に対する処理時間を低減し、端末装置ＵＥの電力消費も低減される。
【００９７】
本開示の実施例は、ネットワーク側装置も提供する。図１７に示すように、ネットワーク側装置１７００は送信モジュール１７０１を含む。ここで、送信モジュール１７０１は、測定リソースで端末装置ＵＥにＭ個の測定基準信号の送信に応用する。ここで、Ｍは１より大きい整数である。
【００９８】
測定リソースは、Ｎ個の測定サブリソースを含み、各測定サブリソースは時間ドメインおよび周波数ドメインで連続している。ここで、Ｎ≧１かつＮは整数である。
【００９９】
本開示は、測定リソースにＮ個の測定サブリソースを設定することにより、各測定サブリソースが時間ドメインと周波数ドメインで連続しているため、端末装置ＵＥがチャネルを測定する場合、Ｎ個の測定サブリソースの測定基準信号を時間ドメインまたは周波数ドメインで連続的に受信するだけで、端末装置ＵＥがチャネル測定を行う際の他の信号に対する処理時間を低減し、端末装置ＵＥの電力消費も低減される。
【０１００】
本開示の実施例では、図１８に示すように、図１８は本開示の実施例の一つである端末装置の構成図である。図１８に示す端末装置１８００は、少なくとも１つのプロセッサ１８０１とメモリ１８０２、少なくとも１つのネットワークインターフェース１８０４とユーザインターフェース１８０３を含む。端末装置１８００の各構成要素は、バスシステム１８０５によって結合される。バスシステム１８０５は、これらのコンポーネント間の接続通信を可能にするものであると考えられる。バスシステム１８０５は、データバスを含むだけではなく、電源バス、制御バス、および状態信号バスも含む。しかしながら、説明を明確にするために、図１８において、様々なバスシステムをバスシステム１８０５に表される。
【０１０１】
ユーザインタフェース１８０３は、ディスプレイ、キーボード、タップデバイス（例えば、マウス、トラックボール（ｔｒａｃｋｂａｌｌ））、タッチパネル、またはタッチスクリーンなどを含むことができる。
【０１０２】
本開示の実施例におけるメモリ１８０２は、揮発性メモリまたは不揮発性メモリであることもでき、または両方とも含むことができると考えられる。不揮発性メモリは、読み出し専用メモリ（Ｒｅａｄ−Ｏｎｌｙ  Ｍｅｍｏｒｙ、ＲＯＭ）、プログラマブル読取り専用メモリ（Ｐｒｏｇｒａｍｍａｂｌｅ  ＲＯＭ、ＰＲＯＭ）、消去プログラム可能読み出し専用メモリ（Ｅｒａｓａｂｌｅ  ＰＲＯＭ、ＥＰＲＯＭ）、電気的消去可能プログラム可能読み出し専用メモリ（Ｅｌｅｃｔｒｉｃａｌｌｙ  ＥＰＲＯＭ、ＥＥＰＲＯＭ）またはフラッシュメモリとすることができる。揮発性メモリはランダムアクセスメモリとすることができ、外部キャッシュとして使用する。形態が多くのＲＡＭは使用できることは限定性によって説明することではなく、例示によって説明することである。例えば、スタティックＲＡＭ（Ｓｔａｔｉｃ  ＲＡＭ、ＳＲＡＭ）、ダイナミックＲＡＭ（Ｄｙｎａｍｉｃ  ＲＡＭ、ＤＲＡＭ）、シンクロナスＤＲＡＭ（Ｓｙｎｃｈｒｏｎｏｕｓ  ＤＲＡＭ、ＳＤＲＡＭ）、ダブルデータレートＳＤＲＡＭ（Ｄｏｕｂｌｅ  Ｄａｔａ  Ｒａｔｅ  ＳＤＲＡＭ、ＤＤＲＳＤＲＡＭ）、拡張ＳＤＲＡＭ（Ｅｎｈａｎｃｅｄ  ＳＤＲＡＭ、ＥＳＤＲＡＭ）、シンクロナスリンクＤＲＡＭ（Ｓｙｎｃｈｌｉｎｋ  ＤＲＡＭ、ＳＬＤＲＡＭ）、および直接メモリバスＲＡＭ（Ｄｉｒｅｃｔ  Ｒａｍｂｕｓ  ＲＡＭ、ＤＲＲＡＭ）。本開示の実施例で説明されるシステムおよび方法のメモリ１８０２は、これらおよび任意の適したタイプのメモリを含むが、これらに限定されない。
【０１０３】
ある実施例では、メモリ１８０２は以下のような要素を記憶する。実行可能モジュールまたはデータ構造、またはそれらの部分集合、またはそれらの拡張集合：オペレーティングシステム１８０２１およびアプリケーション１８０２２。
【０１０４】
ここで、オペレーティングシステム１８０２１は、フレームレイヤ、コアデータベースレイヤ、駆動レイヤなど様々な基礎サービスを実現し、ハードウェアベースのタスクを処理するための各種システムプログラムを含む。アプリケーション１８０２２は、メディアプレイヤー（Ｍｅｄｉａ  Ｐｌａｙｅｒ）、ブラウザ（Ｂｒｏｗｓｅｒ）など、様々な応用業務を実現するための各種アプリケーションを含む。本開示の実施例の方法を実現するプログラムは、アプリケーション１８０２２に含まれることができる。
【０１０５】
本開示の実施例では、端末装置１８００はさらに、メモリ１８０２に記憶され、プロセッサ１８０１でコンピュータプログラムを実行することができる。プロセッサ１８０１によってコンピュータプログラムが実行されると、次のステップが実現される。
【０１０６】
ネットワーク側装置が測定リソースで送信したＭ個の測定基準信号を受信する。ここで、Ｍは１より大きい整数である。測定リソースは、Ｎ個の測定サブリソースを含み、各測定サブリソースは時間ドメインおよび周波数ドメインで連続している。ここで、Ｎ≧１かつＮは整数である。
【０１０７】
コンピュータプログラムはプロセッサ１８０１によって実行される場合、以下のステップも実現される。Ｍ個の測定基準信号に基づいてチャネルに測定計算を行い、チャネル測定結果を取得する。またはＭ個の測定基準信号と第１測定信号とに基づいてチャネルに測定計算を行い、チャネル測定結果を取得する。ここで、第１測定信号は、ＳＳＢのセカンダリ同期信号ＳＳＳ、物理ブロードキャストチャネルＰＢＣＨの復調基準信号ＤＭＲＳ、ＣＳＩ−ＲＳの少なくとも１つを含む。
【０１０８】
前記本開示の図２に示すように、実施例に開示された端末装置によって実行される方法は、プロセッサ１８０１に応用でき、あるいはプロセッサ１８０１によって実現されることができる。プロセッサ１８０１は、信号の処理能力を有する集積回路チップであるかもしれない。実現中、前記方法の各ステップは、プロセッサ１８０１におけるハードウェアの集積論理回路またはソフトウェア形式の命令によって達成できる。上記のプロセッサ１８０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または他のプログラマブル論理デバイス、ディスクリートゲートまたはトランジスタ論理デバイス、ディスクリートハードウェアコンポーネントであることができる。本開示の図２に示された実施例における開示の様々な方法、ステップ、および論理ブロック図を実現または実行することができる。汎用プロセッサは、マイクロプロセッサまたは任意の従来のプロセッサなどであることができる。本開示の図２に示された実施例に開示された方法のステップは、ハードウェアデコードプロセッサによって完了し、またはデコードプロセッサのハードウェアおよびソフトウェアモジュールの組み合わせで直接に完了することができる。ソフトウェアモジュールは、ランダムメモリ、フラッシュメモリ、読み出し専用メモリ、プログラム可能読み出し専用メモリ、または電気的消去可能プログラム可能読み出し専用メモリ、レジスターなどこの分野で成熟したコンピュータ可読記憶媒体に存在することができる。コンピュータ可読記憶媒体は、メモリ１８０２に位置し、プロセッサ１８０１は、メモリ１８０２の情報を読み取り、ハードウェアと組み合わせて上記の方法のステップを完了する。具体的には、コンピュータ可読記憶媒体にはコンピュータプログラムが記憶されており、コンピュータプログラムがプロセッサ１８０１によって実行される際に、上述されたチャネル測定方法の実施例の各ステップが実現される。
【０１０９】
本開示の図２に示す実施例で説明したこれらの実施例は、ハードウェア、ソフトウェア、ファームウェア、ミドルウェア、マイクロコード、またはこれらの組み合わせで実現できることが考えられる。ハードウェアの実現に対しては、処理ユニットは、１つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号処理装置（Ｄｉｇｉｔａｌ  Ｓｉｇｎａｌ  Ｐｒｏｃｅｓｓｉｎｇ、ＤＳＰ）、プログラマブル論理デバイス（ＤＳＰ  Ｄｅｖｉｃｅ、ＤＳＰＤ）、プログラマブル論理デバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサを実現することができる。それによって、本開示に述べた機能の他の電子ユニット、またはそれらの組合せの執行に応用する。
【０１１０】
ソフトウェアの実現に対しては、本開示の実施例における技術は、本開示の実施例における機能のモジュール（例えば、プロセス、関数など）を実行することによって実現することができる。ソフトウェアコードはメモリに記憶され、プロセッサによって実行することができる。メモリは、プロセッサ内部またはプロセッサ外部で実現することができる。
【０１１１】
本開示の実施例は、コンピュータ可読記憶媒体も提供する。コンピュータ可読記憶媒体は、１つまたは複数のプログラムを記憶することができる。この１つまたは複数のプログラムはコマンドを含む。このコマンドは、複数のアプリケーションを含む通信装置によって実行される場合、この通信装置に図２に示す実施例の方法を実行させ、上記に記載されたチャネル測定方法のステップに応用することができる。
【０１１２】
本開示の実施例は、ネットワーク側装置も提供する。図１９に示すように、図１９は本開示の実施例によって提供されるネットワーク側装置の構成図であり、ネットワーク側装置１９００のエンティティ装置構成図は、図１９に示すように、プロセッサ１９０２、メモリ１９０３、送信機１９０１、及び受信機１９０４を含むことができる。具体的な応用では、送信機１９０１および受信機１９０４はアンテナ１９０５に結合されることができる。
【０１１３】
メモリ１９０３は、プログラムの保存に応用するものである。具体的には、プログラムは、コンピュータ操作命令を含むプログラムコードを含むことができる。メモリ１９０３は、読み出し専用メモリとランダムアクセスメモリを含み、プロセッサ１９０２に命令およびデータを提供することができる。メモリ１９０３は、高速ＲＡＭメモリまたは不揮発性メモリ（ｎｏｎ−ｖｏｌａｔｉｌｅ  ｍｅｍｏｒｙ）を含む可能性がある。例えば：少なくとも１つのディスクメモリ。
【０１１４】
プロセッサ１９０２は、メモリ１９０３に記憶されたプログラムを実行する。
【０１１５】
具体的には、ネットワーク側装置１９００において、プロセッサ１９０２は、以下の方法を実行することができる。
【０１１６】
測定リソースで端末装置ＵＥにＭ個の測定基準信号を送信する。ここで、Ｍは１より大きい整数である。
【０１１７】
測定リソースは、Ｎ個の測定サブリソースを含み、各測定サブリソースは時間ドメインおよび周波数ドメインで連続している。ここで、Ｎ≧１かつＮは整数である。
【０１１８】
前記本開示の図１５に示すように、実施例に開示されたネットワーク側装置によって実行される方法は、プロセッサ１９０２に応用でき、あるいはプロセッサ１９０２によって実現されることができる。プロセッサ１９０２は、信号の処理能力を有する集積回路チップであるかもしれない。実現中、前記方法の各ステップは、プロセッサ１９０２におけるハードウェアの集積論理回路またはソフトウェア形式の命令によって達成できる。上記のプロセッサ１９０２は汎用プロセッサであることができる。中央演算処理装置（Ｃｅｎｔｒａｌ  Ｐｒｏｃｅｓｓｉｎｇ  Ｕｎｉｔ、ＣＰＵ）、ネットワークプロセッサ（Ｎｅｔｗｏｒｋ  Ｐｒｏｃｅｓｓｏｒ、ＮＰ）などを含む。デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理デバイス、ディスクリートハードウェアコンポーネントであることもできる。本開示の実施例における開示の様々な方法、ステップ、および論理ブロック図を実現または実行することができる。汎用プロセッサは、マイクロプロセッサまたは任意の従来のプロセッサなどであることができる。本開示の実施例に開示された方法のステップは、ハードウェアデコードプロセッサによって完了し、またはデコードプロセッサのハードウェアおよびソフトウェアモジュールの組み合わせで直接に完了することができる。ソフトウェアモジュールは、ランダムメモリ、フラッシュメモリ、読み出し専用メモリ、プログラム可能読み出し専用メモリ、または電気的消去可能プログラム可能読み出し専用メモリ、レジスターなどこの分野で成熟した記憶媒体に存在することができる。記憶媒体は、メモリ１９０３に位置し、プロセッサ１９０２は、メモリ１９０３の情報を読み取り、ハードウェアと組み合わせて上記のチャネル測定方法のステップを完了する。
【０１１９】
また、ネットワーク側装置は、図１５に示す方法を実行する上に図１５に示す実施例の機能を実現することができ、本開示の実施例はここでは説明しない。
【０１２０】
本開示の実施例は、もう一つのコンピュータ可読記憶媒体も提供する。コンピュータ可読記憶媒体は、１つまたは複数のプログラムを記憶することができる。この１つまたは複数のプログラムはコマンドを含む。このコマンドは、複数のアプリケーションを含む通信装置によって実行される場合、この通信装置に図１５に示す実施例の方法を実行させ、上記に記載されたチャネル測定方法のステップに応用することができる。
【０１２１】
本説明書では、専門用語「包括」、「含む」、または任意の他の変体は排他的ではない包括をカバーする。それによって、一連の要素を含むプロセス、方法、物品または装置は、それらの要素だけでなく、明確に記載されていない他の要素、または、このようなプロセス、方法、物品、または装置に固有の要素を含むようになった。これ以上の制限がない場合は、「一つを含む…」に限定された要素は、その要素を含むプロセス、方法、物品、または装置に他の同じ要素が存在することを排除しない。
【０１２２】
以上の実施方法の説明によって、前記実施例の方法は、ソフトウェアと必要な汎用ハードウェアプラットフォームによって実現することができ、ハードウェアによっても良いが、多くの場合、前者はより良い実施例であることが明らかになっている。このような理解に基づいて、本開示の技術計画は、本質的に、あるいは既存技術に貢献している部分はソフトウェア製品として表現されることができる。このコンピュータソフトウェア製品は（ＲＯＭ／ＲＡＭ、磁気ディスク、光ディスクなどの）記憶媒体に記憶されている。いくつかの命令を含むことで端末１台（携帯電話、コンピュータ、サーバ、エアコン、またはネットワーク側装置など）に本開示の様々な実施例に説明される方法を実行させることができる。
【０１２３】
以上は本開示の実施例を図面に合わせて説明したが、本開示は前記具体的な実施例に限定されるものではなく、上記の具体的な実施例は単なる例示で、限定されない。当業者は本開示の啓示のもとに、本開示の趣旨及び請求項の範囲以内に限り、多くの形態を行うことができる。これらは全て本開示の保護範囲に属する。
【図１】
2021536719.tif 000004
【図２】
2021536719.tif 000005
【図３】
2021536719.tif 000006
【図４】
2021536719.tif 000007
【図５】
2021536719.tif 000008
【図６】
2021536719.tif 000009
【図７】
2021536719.tif 000010
【図８】
2021536719.tif 000011
【図９】
2021536719.tif 000012
【図１０】
2021536719.tif 000013
【図１１】
2021536719.tif 000014
【図１２】
2021536719.tif 000015
【図１３】
2021536719.tif 000016
【図１４】
2021536719.tif 000017
【図１５】
2021536719.tif 000018
【図１６】
2021536719.tif 000019
【図１７】
2021536719.tif 000020
【図１８】
2021536719.tif 000021
【図１９】
2021536719.tif 000022
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
端末装置ＵＥに適用されるチャネル測定方法であって、
ネットワーク側装置によって測定リソースで送信されるＭ個の測定基準信号を受信することを含み、ここで、Ｍは１より大きい整数であり、
前記測定リソースは、Ｎ個の測定サブリソースを含み、各前記測定サブリソースは時間ドメインおよび周波数ドメインで連続しており、ここで、Ｎ≧１かつＮは整数であるチャネル測定方法。
【請求項２】
請求項１に記載のチャネル測定方法であって、
各前記測定サブリソースが時間ドメインにおける持続時間は、事前定義されるまたは上位層シグナリングによって設定される、および／または、
各前記測定サブリソースが周波数ドメインにおける帯域幅は、事前定義されるまたは上位層シグナリングによって設定されるチャネル測定方法。
【請求項３】
請求項１または２に記載のチャネル測定方法であって、
各前記測定サブリソースが測定リソースにおける位置は、上位層シグナリングによって設定されるチャネル測定方法。
【請求項４】
請求項１から３のいずれか一項に記載のチャネル測定方法であって、
各前記測定基準信号の前記測定サブリソースおよび／または前記測定リソースにおけるマッピング方式は、上位層シグナリングに設定され、または事前マッピング規則によって決定されるチャネル測定方法。
【請求項５】
請求項１から４のいずれか一項に記載のチャネル測定方法であって、
前記Ｎ個の測定サブリソースは時間ドメインにおける持続時間が第１値より小さく、前記第１値は事前定義されるまたは上位層シグナリングによって設定されるチャネル測定方法。
【請求項６】
請求項１または２に記載のチャネル測定方法であって、
前記Ｍ個の測定基準信号のうちの少なくとも１つは、同期信号ブロックＳＳＢに関連する、および／または、
前記Ｍ個の測定基準信号のうちの少なくとも１つは、チャネル状態情報基準信号ＣＳＩ−ＲＳに関連するチャネル測定方法。
【請求項７】
請求項６に記載のチャネル測定方法であって、
前記測定基準信号に関連するＳＳＢと前記測定基準信号とは、疑似コロケーションＱＣＬ関係を満たす、および／または、
前記測定基準信号に関連するＣＳＩ−ＲＳと前記測定基準信号とは、ＱＣＬ関係を満たすチャネル測定方法。
【請求項８】
請求項１または２に記載のチャネル測定方法であって、
前記Ｍ個の測定基準信号に基づいてチャネルに対して測定計算を行い、チャネル測定結果を取得すること、または、
前記Ｍ個の測定基準信号と第１測定信号に基づいてチャネルに対して測定計算を行い、チャネル測定結果を取得することをさらに含み、ここで、前記第１測定信号は、ＳＳＢのセカンダリ同期信号ＳＳＳ、物理ブロードキャストチャネルＰＢＣＨの復調基準信号ＤＭＲＳ、およびＣＳＩ−ＲＳの少なくとも１つを含むチャネル測定方法。
【請求項９】
端末装置であって、
ネットワーク側装置によって測定リソースで送信されるＭ個の測定基準信号を受信するための受信モジュールを備え、ここで、Ｍは１より大きい整数であり、
前記測定リソースは、Ｎ個の測定サブリソースを含み、各前記測定サブリソースは時間ドメインおよび周波数ドメインで連続しており、ここで、Ｎ≧１かつＮは整数である端末装置。
【請求項１０】
請求項９に記載の端末装置であって、
各前記測定基準信号の前記測定サブリソースおよび／または前記測定リソースにおけるマッピング方式は、上位層シグナリングに設定され、または事前マッピング規則によって決定される端末装置。
【請求項１１】
請求項９又は１０に記載の端末装置であって、
前記Ｎ個の測定サブリソースは時間ドメインにおける持続時間が第１値より小さく、前記第１値は事前定義されるまたは上位層シグナリングによって設定される端末装置。
【請求項１２】
請求項９に記載の端末装置であって、
前記Ｍ個の測定基準信号のうちの少なくとも１つは、同期信号ブロックＳＳＢに関連する、および／または、
前記Ｍ個の測定基準信号のうちの少なくとも１つは、チャネル状態情報基準信号ＣＳＩ−ＲＳに関連する端末装置。
【請求項１３】
請求項１２に記載の端末装置であって、
前記測定基準信号に関連するＳＳＢと前記測定基準信号とは、疑似コロケーションＱＣＬ関係を満たす、および／または、
前記測定基準信号に関連するＣＳＩ−ＲＳと前記測定基準信号とは、ＱＣＬ関係を満たす端末装置。
【請求項１４】
請求項９に記載の端末装置であって、
測定計算モジュールをさらに備え、
前記測定計算モジュールは前記Ｍ個の測定基準信号に基づいてチャネルに対して測定計算を行い、チャネル測定結果を取得する、または、
前記測定計算モジュールは前記Ｍ個の測定基準信号と第１測定信号に基づいてチャネルに対して測定計算を行い、チャネル測定結果を取得し、ここで、前記第１測定信号は、同期信号ブロックＳＳＢのセカンダリ同期信号ＳＳＳ、物理ブロードキャストチャネルＰＢＣＨの復調基準信号ＤＭＲＳ、およびチャネル状態情報基準信号ＣＳＩ−ＲＳの少なくとも１つを含む端末装置。
【請求項１５】
ネットワーク側装置であって、
測定リソースで端末装置ＵＥにＭ個の測定基準信号を送信するための送信モジュールを備え、ここで、Ｍは１より大きい整数であり、
前記測定リソースは、Ｎ個の測定サブリソースを含み、各前記測定サブリソースは時間ドメインおよび周波数ドメインで連続しており、ここで、Ｎ≧１かつＮは整数であるネットワーク側装置。
【国際調査報告】
2021536719.tif 000023
2021536719.tif 000024
2021536719.tif 000025
2021536719.tif 000026